(57)【要約】【課題】熱効率が良い乾燥装置を提供する。【解決手段】乾燥部６０は、筐体７３内において印画紙を搬送する搬送部６１と、搬送部６１による搬送経路に向かって加熱された空気を吹き出す孔開きダクト７４と、孔開きダクト７４によって吹き出された空気ＷＡを孔開きダクト７４へ循環させると共に、搬送経路に向かって吹き出された空気ＷＢを孔開きダクト７４へ循環させない循環機構とを備えている。筐体７３内の搬送経路に対して孔開きダクト７４と反対側には、孔開きダクト７４の下側の４段の孔７４ａと上側の３段の孔７４ａとの間に対応するように配置された水平の壁部７９ａを有する仕切り部材７９が配置されている。【選択図】図５
2009109026.tif 000002
【特許請求の範囲】
【請求項１】
筐体内において媒体を搬送する搬送部と、
前記搬送部による搬送経路に向かって加熱された空気を吹き出す空気吹き出し部と、
前記空気吹き出し部によって前記搬送経路の一部分に向かって吹き出された空気を前記空気吹き出し部へ循環させると共に、前記搬送経路の他の部分に向かって吹き出された空気を前記空気吹き出し部へ循環させない循環機構とを備えていることを特徴とする乾燥装置。
【請求項２】
前記空気吹き出し部は前記筐体内における前記搬送経路の一面側に配置されており、
前記筐体内における前記搬送経路の他面側に配置され、前記搬送経路の前記一部分と前記他の部分との境界に対応した壁部を有する仕切り部材を備えていることを特徴とする請求項１の乾燥装置。
【請求項３】
前記搬送経路の前記他の部分は前記一部分よりも搬送方向下流側に対応した部分であることを特徴とする請求項１または２に記載の乾燥装置。
【請求項４】
前記筐体の外部であって前記搬送経路に対して前記空気吹き出し部と反対側に配置され、媒体上に形成された画像の濃度を測定する濃度測定装置を備えており、
前記筐体内の前記濃度測定装置側の端部近傍には断熱材が配置されていることを特徴とする請求項１〜３のいずれか１項に記載の乾燥装置。
【発明の詳細な説明】
【技術分野】
【０００１】
本発明は、写真処理装置において媒体の乾燥処理を行う乾燥装置に関する。
【背景技術】
【０００２】
写真処理装置では、フィルムや印画紙等の媒体を搬送しながら現像、定着、水洗等の処理を行った後、その媒体を写真処理装置の搬送方向下流側に配置された乾燥装置に送り込む。この乾燥装置では、現像等の処理が行われた媒体は、搬送部の搬送経路に沿って搬送されながら温風が吹き付けられて乾燥された後、コンベア上に排出される。そして、媒体上に形成された画像の濃度を測定する場合には、乾燥装置で乾燥された媒体は、乾燥装置に隣接して配置された濃度測定装置に送られる（例えば、特許文献１参照）。ここで、乾燥装置内では、媒体の搬送経路に向かって吹き出された加熱された空気が、ファン等の送風機によって吹き出し部へ循環するように構成されている（例えば、特許文献２参照）。
【特許文献１】特開２００７−１７１３１３公報
【特許文献２】特開２００２−４０６２２号公報
【発明の開示】
【発明が解決しようとする課題】
【０００３】
しかしながら、上記の乾燥装置では、搬送経路に向かって吹き出された加熱された空気は、乾燥装置内の空気と混ざりながら循環するので、特に乾燥装置の容積が大きいときには、循環する空気の温度低下が大きく、昇温するのに時間が掛かり、熱効率が非常に悪くなる。また、濃度測定装置が乾燥装置に隣接して配置されている場合には、濃度測定装置が乾燥装置内からの熱の影響を受けて、媒体上に形成された画像の濃度を正確に測定することができないことがある。
【０００４】
そこで、本発明の目的は、熱効率が良い乾燥装置を提供することである。
【課題を解決するための手段及び発明の効果】
【０００５】
本発明の乾燥装置は、筐体内において媒体を搬送する搬送部と、前記搬送部による搬送経路に向かって加熱された空気を吹き出す空気吹き出し部と、前記空気吹き出し部によって前記搬送経路の一部分に向かって吹き出された空気を前記空気吹き出し部へ循環させると共に、前記搬送経路の他の部分に向かって吹き出された空気を前記空気吹き出し部へ循環させない循環機構とを備えていることを特徴としている。
【０００６】
この構成によると、媒体が搬送されていない場合には、搬送経路の一部分に向かって吹き出された空気だけが空気吹き出し部へ循環するので、その搬送経路の一部分に向かって吹き出された空気は、他の空気とあまり混ざることなく循環するようになる。従って、循環する空気の温度低下を少なくして昇温時間を短縮でき、乾燥装置の熱効率を良くすることができる。また、媒体が搬送されている場合には、空気吹き出し部から搬送経路に向かって吹き出された空気は、媒体の表面に当たることで湿気を帯びて、その後、その表面近傍を拡散した後で循環する。上記の構成では、湿気を帯びた空気が筐体内の搬送経路の一部分だけにおいて循環するので、乾燥装置の乾燥効率の低下を抑制することができる。
【０００７】
本発明の乾燥装置においては、前記空気吹き出し部は前記筐体内における前記搬送経路の一面側に配置されており、前記筐体内における前記搬送経路の他面側に配置され、前記搬送経路の前記一部分と前記他の部分との境界に対応した壁部を有する仕切り部材を備えていてもよい。
【０００８】
この構成によると、搬送経路の一部分に対して吹き付けられた空気と、搬送経路の他の部分とに吹き付けられた空気とは、仕切り部材によって混ざることがないので、搬送経路の一部分に対して吹き出された空気だけを容易に空気吹き出し部へ循環させることができる。
【０００９】
本発明の乾燥装置においては、前記搬送経路の前記他の部分は前記一部分よりも搬送方向下流側に対応した部分であってもよい。
【００１０】
本発明の乾燥装置においては、前記筐体の外部であって前記搬送経路に対して前記空気吹き出し部と反対側に配置され、媒体上に形成された画像の濃度を測定する濃度測定装置を備えており、前記筐体内の前記濃度測定装置側の端部近傍には断熱材が配置されていてもよい。
【００１１】
この構成によると、乾燥装置内からの熱が外部に放出されるのを断熱材によって抑制することができるので、熱効率をより良くすることができる。また、乾燥装置内からの熱が、乾燥装置の外側に配置される濃度測定装置に及ぶのを防ぐことができるので、濃度測定装置において、媒体上に形成された画像の濃度を正確に測定することができる。
【発明を実施するための最良の形態】
【００１２】
以下、本発明の好適な実施の形態について、図面を参照しつつ説明する。図１は、本発明の実施の形態に係る乾燥部（乾燥装置）が備えられた写真処理装置の概略構成図である。
【００１３】
本実施の形態に係る乾燥部６０が備えられた写真処理装置１は、図１に示すように、レーザビームによるデジタル走査露光方式が採用された写真処理装置であって、画像入力部２０と、プリント部５０と、乾燥部６０と、濃度測定部（濃度測定装置）８０とを備えている。
【００１４】
画像入力部２０では、現像されたフィルムの各コマに記録された画像の読み取り処理及び読み取られた画像データに対するデジタル変換処理、フラッシュメモリ等の画像記録媒体に記録されたデジタル画像データの読み取り処理などの各種処理が行われ、読み取られた画像データがプリント部５０に送信される。プリント部５０では、画像入力部２０から受信した画像データに基づいて、主に印画紙（媒体）２に対して露光処理、現像処理、漂白定着処理等の処理が施され、乾燥部６０に送られる。乾燥部６０では、プリント部５０から排出された印画紙２に対して乾燥処理が施され、排出口から排出された印画紙２がオーダーごとに仕分けられる。また、濃度測定部８０では、印画紙２の表面に形成された画像の濃度を適宜測定することができる。
【００１５】
画像入力部２０は、図１に示すように、モニタ２１と、キーボード２２と、マウス２３と、コンピュータユニット３０と、スキャナ４０とを有している。
【００１６】
モニタ２１には、各種制御のためのＧＵＩ（Ｇｒａｐｈｉｃａｌ  Ｕｓｅｒ  Ｉｎｔｅｒｆａｃｅ）や処理対象の画像が表示され、写真処理装置１に関する様々な情報を表示してオペレータに告知する。キーボード２２とマウス２３とは、写真処理装置１に対する入力操作を行うために用いられる。
【００１７】
コンピュータユニット３０は、モニタ２１、キーボード２２、マウス２３と接続されており、スキャナ４０およびプリント部５０に含まれる各部の動作、および画像データの入出力等の制御を行い、メモリカード、ＣＤ−Ｒ等の画像記録媒体に収納された画像データがメディアリーダ（図示せず）を介して読み取られる。
【００１８】
スキャナ４０では、現像されたフィルムの各コマに記録された画像の読み取り処理及び読み取られた画像データに対するデジタル変換処理等が行われ、読み取られた画像データはコンピュータユニット３０に送信される。
【００１９】
プリント部５０は、図１に示すように、２つの印画紙マガジン５１と、シートカッター５２と、バックプリント部５３と、プリント露光部５４と、圧接搬送ローラ対５７と、チャッカー式搬送ユニット５８と、処理槽ユニット５５と、スクイズラック５９とを有している。
【００２０】
２つの印画紙マガジン５１は、プリント部５０の内部に備えられ、ロール状の印画紙２を１個ずつ収納し、適宜必要な量の印画紙２が圧接搬送ローラ対５７によって引き出される。シートカッター５２は、印画紙マガジン５１から印画紙２を引き出す複数の圧接搬送ローラ対５７の下流側に配置されており、印画紙マガジン５１から引き出された印画紙２を所望のプリントサイズに切断する。
【００２１】
バックプリント部５３は、シートカッター５２の下流側に配置されており、シートカッター５２で所望のプリントサイズに切断された印画紙２の裏面側に、色補正情報、及びコマ番号等のプリント処理情報を印刷する。
【００２２】
プリント露光部５４は、バックプリント部５３の下流側に配置されるチャッカー式搬送ユニット５８と隣接するように配置され、所望のプリントサイズやテスト用のプリントサイズに切断された印画紙２の表面側に、画像の露光を行う。
【００２３】
圧接搬送ローラ対５７は、プリント部５０の内部に配置される印画紙マガジン５１に収容されたロール状の印画紙２を引き出すとともに、チャッカー式搬送ユニット５８は、所望のサイズ等に切断された印画紙２を様々な処理に対応した搬送速度で搬送する。圧接搬送ローラ対５７は、２つのローラを組み合わせて構成されており、２つのローラが回転しながら印画紙２を圧接することで２つのローラ間の隙間を印画紙２が通過し下流側へと搬送される。チャッカー式搬送ユニット５８は、所望のサイズ等に切断された印画紙２の下流側（先端側）の端部をつまむようにして搬送する。
【００２４】
処理槽ユニット５５は、プリント露光部５４の下流側に配置される複数の圧接搬送ローラ対５７に隣接するように配置され、発色現像処理液を貯留する発色現像槽５５ａと、漂白定着処理液を貯留する漂白定着槽５５ｂと、安定処理液を貯留する安定処理槽５５ｃとを有している。そして、露光が行われた印画紙２が、これらの発色現像槽５５ａと、漂白定着槽５５ｂと、安定処理槽５５ｃとをこの順で経由しながら搬送されることで、所望の画像が印画紙２の表面に形成される。
【００２５】
スクイズラック５９は、処理槽ユニット５５と乾燥部６０との間に配置されており、処理槽ユニット５５の搬送中に付着した印画紙２の表面の水分を取る機能を有している。
【００２６】
乾燥部６０は、処理槽ユニット５５の下流側に配置されており、筐体７３内において処理が行われた印画紙２を搬送経路に沿って搬送する搬送部６１と、搬送部６１によって搬送される印画紙２を加熱する加熱部６２（図４参照）と、加熱部６２で乾燥された印画紙２を搬送するコンベア５６と、コンベア５６で搬送された印画紙２がオーダー単位で振り分けられるためのソータ（図示せず）とを有している。本実施の形態の乾燥部６０は、処理槽ユニット５５において各種処理液に浸漬されて処理された後、スクイズラック５９を通過した印画紙２に対して、ブロワ等において発生させた温風を吹き付けて、印画紙２を乾燥させる。その後、乾燥した印画紙２は、搬出口からコンベア５６上へと落下搬送され、ソータの方向へ搬送される。
【００２７】
濃度測定部８０は、コンベア５６の下方に配置されており、筐体８１と、濃度計８２と、搬送ローラ対８３と、排出部８４とを有している。筐体８１は、濃度測定部８０内の温度や明るさを一定状態に保つために設けられており、例えば、合成樹脂部材等で形成されている。濃度計８２は、特定の波長の光に対して透過特性を持つように設計されたフィルタとＣＣＤとから構成され、印画紙２の濃度の測定結果をコンピュータユニット３０に送信する。搬送ローラ対８３は、濃度計８２が、印画紙２の濃度を測定できるように搬送する。そして、濃度計８２による濃度の測定を終えた印画紙２は、搬送ローラ対８３によって排出部８４へと搬送される。
【００２８】
次に、写真処理装置１の乾燥部６０の概略構成について、図２〜図４を参照して説明する。図２は、図１の写真処理装置に備えられた乾燥部及び濃度測定部の断面図である。図３は、図２の乾燥部におけるＡ−Ａ線断面図である。図４は、図２の乾燥部におけるＢ−Ｂ線断面図である。
【００２９】
搬送部６１は、図２に示すように、搬送方向上流側から搬送方向下流側に向かって、２つの搬送ローラ対６３、６４と、ターンローラ６５と、第１のローラ６６と、第２のローラ６７と、複数の搬送ローラ対６８と、ターン機構６９と、搬出ローラ対７１と、複数の搬送ローラ対７２とを筐体７３内に有している。
【００３０】
２つの搬送ローラ対６３、６４は、それぞれ、印画紙２の搬送経路となる隙間を隔てて配置された２つの駆動ローラから構成されている。乾燥部６０に送り込まれた印画紙２は、回転駆動される搬送ローラ対６３、６４によって、それらの搬送方向下流側のターンローラ６５へと搬送される。搬送ローラ対６３、６４の表面は、例えば発泡、布等で覆われている。
【００３１】
ターンローラ６５は、印画紙２の搬送方向を変更して下流側に搬送するためのものであり、図２に示すように、搬送ローラ対６４の搬送方向下流側において印画紙２の搬送方向を鉛直方向上向きに変更する。また、ターンローラ６５は、第１のローラ６６及び第２のローラ６７より大きい径を有するローラであって、図示しない駆動部によって回転駆動される。このように、乾燥部６０では、その内部にターンローラ６５を設けて印画紙２の搬送方向を変更しながら乾燥できるので、印画紙２を一方向にのみ搬送しながら乾燥処理を行う乾燥装置と比較して、乾燥装置の小型化を図ることができる。
【００３２】
第１のローラ６６は、ターンローラ６５と対となって、印画紙２の搬送方向を変化させるためのものであり、ターンローラ６５との間に搬送方向上流側から搬送される印画紙２の先端が進入する隙間が形成されるように近接して配置される。
【００３３】
第２のローラ６７は、ターンローラ６５と対となって、印画紙２の搬送方向を変化させるためのであり、第１のローラ６６よりも搬送方向下流側において、ターンローラ６５との間に搬送方向上流側から搬送される印画紙２の先端が進入する隙間が形成されるように配置される。
【００３４】
複数の搬送ローラ対６８は、ターンローラ６５と第２のローラ６７との間の隙間を通過した印画紙２を鉛直方向上向きに搬送するためのものである。搬送ローラ対６８の表面は、例えば発泡材、布等で覆われている。
【００３５】
ターン機構６９は、印画紙２の搬送方向を変更して下流側へ搬送するためのものであり、複数の搬送ローラ対６８の上方において、図示しない方向変更ガイドによって、印画紙２をコンベア上に排出する場合には印画紙２の搬送方向をほぼ水平方向（搬出ローラ対７１に向かう方向）に変更し、一方、印画紙２を濃度測定部８０に搬送する場合には印画紙２の搬送方向を鉛直方向下向き（搬送ローラ対７２に向かう方向）に変更する。ターン機構６９は、大径のローラ６９ａと複数の小径のローラ６９ｂとを有しており、印画紙２はローラ６９ａとローラ６９ｂとのそれぞれの間の隙間を通過する。
【００３６】
搬出ローラ対７１は、乾燥部６０において乾燥した印画紙２を、コンベア５６上に排出するためのものである。複数の搬送ローラ対７２は、乾燥部６０において乾燥した印画紙２を、濃度測定部８０へ印画紙２を排出するための仕切り部材７９の孔７９ｃに向かって搬送する。搬送ローラ対６８の表面は、例えば発泡材、布等で覆われている。筐体７３は、搬送経路下流側（図２の左側面上部）に排出口７３ａを有し、印画紙２は排出口７３ａを通ってコンベア５６上に排出される。
【００３７】
加熱部６２は、図３に示すように、孔開きダクト（空気吹き出し部）７４と、循環機構７５とを有している。
【００３８】
孔開きダクト７４は、印画紙２の搬送経路に向かって空気を吹き出すためのもので、筐体７３内において搬送経路の一面側（図２の右側）に配置され、加熱室７８（後述）と搬送部６１とを仕切っている。また、孔開きダクト７４は、複数の孔７４ａを有し、本実施の形態では、図４に示すように、左右に７列、上下に７段の計４９個の孔７４ａを有している。そして、孔開きダクト７４の複数の孔７４ａからは、加熱された空気が搬送経路に向かって吹き出される。
【００３９】
循環機構７５は、搬送中の印画紙２を乾燥させるヒータユニット７６と、送風機７７と、加熱室７８と、仕切り部材７９とを有している。そして、循環機構７５は、乾燥部６０の筐体７３内において、孔開きダクト７４の下側の４段の孔７４ａから搬送経路に向かって吹き出された空気を孔開きダクト７４へ循環させると共に、孔開きダクト７４の上側の３段の孔７４ａから搬送経路に向かって吹き出された空気を孔開きダクト７４へ循環させない機構となっている。つまり、循環機構７５は、筐体７３内の搬送経路の上流側（搬送経路の一部分）に向かって吹き出された空気だけを、孔開きダクト７４に循環させると共に、搬送経路の下流側（搬送経路の他の部分）に向かって吹き出された空気は孔開きダクト７４に循環させない機構となっている。
【００４０】
ヒータユニット７６と送風機７７とは、乾燥部６０の一側部に並列に配置されている。ヒータユニット７６は、その上部が孔開きダクト７４の上から３段目の孔７４ａと４段目の孔７４ａとの間に位置し、下部が孔開きダクト７４の最下段の孔７４ａより下方に位置している。そして、ヒータユニット７６は、送風機７７の吸引側の上流部に配置され、送風機７７に吸引される空気を加熱する。送風機７７は、ヒータユニット７６と略同等の高さを有し、孔開きダクト７４から印画紙２の搬送経路に向かって吹き出された後、ヒータユニット７６で加熱された空気ＷＡを吸引して、加熱室７８へ送風する。
【００４１】
加熱室７８は、筐体７３内において搬送経路の一面側（図２の右側）にあって、孔開きダクト７４に対して搬送経路と反対側にあり、送風機７７によって吸引された加熱された空気が送り込まれるところである。ここで、加熱室７８は、図３に示すように、その断面積が送風機７７から遠ざかるにしたがって、小さくなるように形成されている。
【００４２】
仕切り部材７９は、図３において、筐体７３内において搬送経路に対して孔開きダクト７４と反対側（搬送経路の他面側）に配置されている。仕切り部材７９は、水平の壁部７９ａと、鉛直の壁部７９ｂとを有している。水平の壁部７９ａは、孔開きダクト７４の下側の４段の孔７４ａと上側の３段の孔７４ａとの間に対応するように配置され、孔開きダクト７４の下側の４段の孔７４ａから吹き出された空気と、孔開きダクト７４の上側の３段の孔７４ａから吹き出された空気とが混ざるのを抑制する役割をしている。鉛直の壁部７９ｂは、印画紙２が濃度測定部８０へ搬送される際に通過する孔７９ｃを有している。また、仕切り部材７９には、その全体に断熱材が配置されている。なお、図４では、仕切り部材７９を一点鎖線で示している。
【００４３】
コンベア５６は、プリント部５０の上方に配置され、加熱部６２で乾燥された後で排出された印画紙２をソータの方向へ搬送する。ソータは、プリント部５０の前面側の鉛直方向に配置された複数のトレイを有しており、コンベア５６によって搬送される印画紙２を、例えばオーダー単位で各トレイに振り分ける。
【００４４】
次に、本実施の形態の乾燥部６０内における空気の流れについて、図５を参照して説明する。図５は、図４のＣ−Ｃ線断面における乾燥部内の空気の流れを説明する図である。
【００４５】
印画紙２が搬送部６１によって搬送されていない場合には、孔開きダクトの下側の４段の孔７４ａから吹き出された空気ＷＡは、搬送経路を通過して、仕切り部材７９の水平の壁部７９ａの下方側の空間に流れる。そして、空気ＷＡは、送風機７７の吸引力によって、ヒータユニット７６を通過して加熱された後、加熱室入り口７８ａを通過して加熱室７８に送り込まれる。その後、加熱室７８に送り込まれた加熱された空気は、孔開きダクト７４の孔７４ａから搬送経路に向かって吹き出されることによって循環される。
【００４６】
一方、孔開きダクトの上側の３段の孔７４ａから吹き出された空気ＷＢは、搬送経路を通過して、仕切り部材７９の水平の壁部７９ａの上方側の空間に流れる。その後、空気ＷＢは、筐体７３の排出口７３ａを介して筐体７３の外部へ排出される。
【００４７】
一方、印画紙２が搬送部６１によって搬送されている場合には、孔開きダクトの下側の４段の孔７４ａから吹き出された空気ＷＡは、搬送されている印画紙２の処理が行われた面に当たって湿気を帯びる。そして、湿気を帯びた空気ＷＡは、その印画紙２の表面近傍を拡散した後、印画紙２の周囲を回り込みながら水平の壁部７９ａの下方側の空間に流れる。その後、湿気を帯びた空気ＷＡは、送風機７７の吸引力によって、ヒータユニット７６を通過して加熱され、先に含んだ湿気が除去された後、加熱室入り口７８ａを通過して加熱室７８に送り込まれる。これより、加熱室７８に送り込まれた加熱された空気は、孔開きダクト７４の孔７４ａから搬送経路に向かって吹き出される。
【００４８】
一方、孔開きダクトの上側の３段の孔７４ａから吹き出された空気ＷＢは、搬送されている印画紙２の処理が行われた面に当たって湿気を帯びる。そして、湿気を帯びた空気ＷＢは、その印画紙２の表面近傍を拡散した後、仕切り部材７９の水平の壁部７９ａの上方側の空間に流れる。その後、湿気を帯びた空気ＷＢは、筐体７３の排出口７３ａを介して筐体７３の外部へ排出される。
【００４９】
以上説明したように、印画紙２が搬送されていない場合には、搬送経路の一部分に向かって吹き出された空気ＷＡだけが孔開きダクト７４へ循環するので、その搬送経路の一部分に向かって吹き出された空気ＷＡは、他の空気ＷＢとあまり混ざることなく循環するようになる。従って、循環する空気の温度低下を少なくして昇温時間を短縮でき、乾燥部６０の熱効率を良くすることができる。また、印画紙２が搬送されている場合には、孔開きダクト７４から搬送経路に向かって吹き出された空気ＷＡは、印画紙２の表面に当たることで湿気を帯びて、その後、その表面近傍を拡散した後で循環する。上記の構成では、湿気を帯びた空気ＷＡが筐体７３内の搬送経路の一部分だけにおいて循環するので、乾燥部６０の乾燥効率の低下を抑制することができる。
【００５０】
また、搬送経路の一部分に対して吹き付けられた空気ＷＡと、搬送経路の他の部分とに吹き付けられた空気ＷＢとは、仕切り部材７９によって混ざることがないので、搬送経路の一部分に対して吹き出された空気ＷＡだけを容易に孔開きダクト７４へ循環させることができる。
【００５１】
また、乾燥部６０内からの熱が外部に放出されるのを断熱材によって抑制することができるので、熱効率をより良くすることができる。また、乾燥部６０内からの熱が、乾燥装置の外側に配置される濃度測定部８０に及ぶのを防ぐことができるので、濃度測定部８０において、印画紙２上に形成された画像の濃度を正確に測定することができる。
【００５２】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、断熱材は、仕切り部材７９全体に配置されていたが、一部だけに配置されてもよい。また、断熱材は、仕切り部材７９とは別個の他の部材に配置されてもよい。
【図面の簡単な説明】
【００５３】
【図１】本発明の実施の形態に係る乾燥部（乾燥装置）が備えられた写真処理装置の概略構成図である。
【図２】図１の写真処理装置に備えられた乾燥部及び濃度測定部（濃度測定装置）断面図である。
【図３】図２の乾燥部におけるＡ−Ａ線断面図である。
【図４】図２の乾燥部におけるＢ−Ｂ線断面図である。
【図５】図４のＣ−Ｃ線断面における乾燥部内の空気の流れを説明する図である。
【符号の説明】
【００５４】
１      写真処理装置
２      印画紙（媒体）
６０    乾燥部（乾燥装置）
６１    搬送部
６２    加熱部
７４    孔開きダクト（空気吹き出し部）
７５    循環機構
７９    仕切り部材
７９ａ  壁部
８０    濃度測定部（濃度測定装置）
【図１】
2009109026.tif 000003
【図２】
2009109026.tif 000004
【図３】
2009109026.tif 000005
【図４】
2009109026.tif 000006
【図５】
2009109026.tif 000007